(57)【要約】    【課題】  強い衝撃が加わって反射板が歪むなどしても不所望に落下しない照明器具を提供する。    【解決手段】  照明器具は、長手方向に沿った開放端1aを有する基体1と、両端に一対の係合腕部3aが形成されるとともに反射板固定部3bを有し、一対の係合腕部を基体の短辺開放端に取り付けられる反射板支持体3と、基体の短辺開放端に対向する両側面に近接配置する反射板落下防止体4と、基体の開放端を覆って反射板支持体の反射板固定部に固定された反射板2と、反射板に対して光学作用的に配設されたランプ6と、ランプに給電するランプソケット5と、基体の内部に配設されてランプを付勢する点灯装置7とを具備している。【選択図】図３
2011054343.tif 000002
【特許請求の範囲】
【請求項１】
長手方向に沿った開放端を有する基体と；
両端に一対の係合腕部が形成されるとともに反射板固定部を有し、一対の係合腕部を基体の短辺開放端に取り付けられる反射板支持体と；
基体の短辺開放端に対向する両側面に近接配置する反射板落下防止体と；
基体の開放端を覆って反射板支持体の反射板固定部に固定された反射板と；
反射板に対して光学作用的に配設されたランプと；
ランプに給電するランプソケットと；
基体の内部に配設されてランプを付勢する点灯装置と；
を具備していることを特徴とする照明器具。
【請求項２】
反射板落下防止体は、反射板支持体に支持されて着脱可能であるとともに、両端に基体の両側面の内面側に立上り部が形成され、立上り部と反射板支持体の一対の係合腕部とにより基体の両側面に近接配置することを特徴とする請求項１記載の照明器具。
【発明の詳細な説明】
【技術分野】
【０００１】
本発明は、細長の基体に反射板を取り付けた照明器具に関する。
【背景技術】
【０００２】
直管形蛍光ランプのように長い直管部を有するランプを光源とする照明器具は、一般に横断面略コ字状をなして長手方向に沿った開放端を有するシャーシと、このシャーシの開放端を覆う反射板とを備え、反射板に対向する位置にランプを配置するように構成されている。そして、反射板をシャーシに取り付けるために、シャーシの開放端を横断橋架する反射板支取付金具を配設して、この反射板取付金具を介して反射板を基体に取り付けている（例えば、特許文献１参照。）。
【０００３】
特許文献１記載の照明器具においては、基体の開放端を区画する両側面部の近傍の対向する位置に対をなす係合孔を形成し、反射板取付金具の両端をコ字状に屈曲して一対の係合腕部を形成するとともに中間に反射板固定部を形成して、一対の係合腕部を基体の対をなす係合孔に外側から係合して基体の開放端を横断橋架することで反射板取付金具を基体に取り付けている。
【先行技術文献】
【特許文献】
【０００４】
【特許文献１】特開２００５−２７６６３２号公報
【発明の概要】
【発明が解決しようとする課題】
【０００５】
しかしながら、上述の従来技術は、強い衝撃が加わってシャーシや反射板に撓が発生したときに反射板取付金具の係合腕部とシャーシの係合孔との係合が解除されて、反射板が落下する虞がある。
【０００６】
本発明は、強い衝撃が加わって反射板が歪むなどしても不所望に落下しない照明器具を提供することを目的とする。
【課題を解決するための手段】
【０００７】
上記の課題を解決するために、本発明の照明器具は、長手方向に沿った開放端を有する基体と；両端に一対の係合腕部が形成されるとともに反射板固定部を有し、一対の係合腕部を基体の短辺開放端に取り付けられる反射板支持体と；基体の短辺開放端に対向する両側面に近接配置する反射板落下防止体と；基体の開放端を覆って反射板支持体の反射板固定部に固定された反射板と；反射板に対して光学作用的に配設されたランプと；ランプに給電するランプソケットと；基体の内部に配設されてランプを付勢する点灯装置と；を具備していることを特徴としている。
【発明の効果】
【０００８】
本発明は、反射板取付体の両端に形成された一対の係合腕部と協働して基体の両側面を挟持して反射板の落下を防止する反射板落下防止金具を具備したことにより、強い衝撃が加わって基体や反射板が歪むなどしても基体に取り付けられている反射板支持取付体の係合腕が基体から離脱するのを防止するとともに、必ずしも現行の基体、反射板取付体および反射板の構造を変更しなくても反射板の落下を防止して安全性が著しく向上する効果を奏する。
【図面の簡単な説明】
【０００９】
【図１】本発明を実施するための一形態に係わる照明器具の要部横断面図である。
【図２】同じく基体および反射板の組み立て状態を概概略的に略的に示す一部を切除した斜視図である。
【図３】同じく反射板支持体および反射板落下防止体の基体に対する取付構造を示す要部拡大断面図である。
【図４】同じく反射板取付体の斜視図である。
【図５】同じく反射板落下防止体の（ａ）が斜視図、（ｂ）が正面図、（ｃ）が右側面図および（ｄ）が底面図である。
【発明を実施するための形態】
【００１０】
以下、本発明を実施するための一形態について詳細に説明する。本発明の照明器具は、図１に示すように、基体１、反射板２、反射板支持体３、反射板落下防止体４、ランプソケット５、ランプ６および点灯装置７を具備している。
【００１１】
本形態において、基体１は、図１および図２に示すように横断面が樋状をなした細長に形成されていて、図３に示すように下面に開口した開放端（または開放面）１ａを有する。そして、本形態においては、開放端１ａを区画する左右両側面１ｂ、１ｂにほぼ対向する、好ましくは長手方向に互いに離間した複数（例えば２箇所の）位置において、対をなす係合孔１ｃを備えている。なお、基体１の長手方向の両端は、図２に示すように端板１ｄにより閉塞することができる。
【００１２】
反射板２は、基体１の開放端を覆って配設され、本形態においては図１に横断面の右半分が示され、またほぼ全体が斜め下方から視た状態の図２に示されているように、横断面形状が伏せた船底形状をなしている。そして、反射板２は、後述する反射板支持体３に取り付けられている。なお、反射板２の反射面は、白色系の塗装膜またはカラー鋼鈑と称される樹脂被膜鋼板の当該樹脂被膜などからなる光拡散性反射面あるいは金属またはプラスチックスの基板の表面に被着されたアルミニウム蒸着膜などからなる鏡面性反射面により形成することができる。
【００１３】
また、本形態において、反射板２は、その横断面において、天板部２ａおよび左右一対の曲面部２ｂ、２ｂを有し、これらの各部分が長手方向に延在している。反射板２の天板部２ａは、ほぼ平坦で基体１の開放端を覆い、かつ後述するランプ６の背方に位置する。左右一対の曲面部２ｂ、２ｂは、天板部２ａの長手方向の両側面に連続して一体的に形成されている。そして、放物面などの２次曲面状に湾曲し、かつ図１から理解できるように基体１から左右の斜め下方へ延在して、ランプ６から放射されて反射面に入射する光を主として下方へ向かうように反射して照明器具としての配光を制御する。
【００１４】
さらに、本形態において、反射板２は、後述する反射板取付体３の反射板取付部３ｂ、３ｂに対向する位置に通孔（図示を省略している。）を形成している。そして、この通孔を経由して、図１および図２に示す化粧ねじ８を図４に示す反射板取付体３の反射板取付部３ｂにねじ込むことにより、反射板２を基体１の開放端１ａに取り付けることができるように構成されている。なお、図２において、反射板２は、反射板取付体３の２個の反射板取付部３ｂにねじ込むことができるように２個の反射板取付部３ｂに対向する２個の通孔を備えているが、そのうち１個の通孔に対して１個の化粧ねじ８をねじ込んで反射板２を反射板取付体３に取り付けている。
【００１５】
反射板支持体３は、図４に示すように、両端に一対の係合腕部３ａ、３ａ備えるとともに、例えば中間に適宜の数の反射板取付部３ｂ、３ｂを備えることができる。そして、係合腕部３ａは、基体１の長手方向と直交する短辺開放端に取り付けられる。本形態においては、このために基体１の両側面１ｂ、１ｂの短辺開放端の近傍に形成した一対の係合孔１ｃ、１ｃに係合腕部３ａが係合することで、反射板支持体３が基体１に取り付けられる。その結果、反射板支持体３は、基体１の開放端１ａを横断橋架して基体１の開放端１ａに装着される。反射板取付部３ｂは、反射板３を反射板支持体３に取り付けることで、反射板３を基体１に取り付けるための手段であり、既知の各種固着手段の中から適宜選択して用いることができる。
【００１６】
また、反射板支持体３の係合腕部３ａは、本形態において、コ字状に屈曲して折り返されている。そして、一対の係合腕部３ａ、３ａを基体１の対をなす係合孔１ｃ、１ｃに基体１の側面１ｂの外側から挿入することだけで、一対の係合腕部３ａ、３ａを係合孔１ｃ、１ｃに係合させることができる。このため、反射板支持体３の基体１に対する組み立てが容易になる。反射板取付部３ｂは、ねじ孔からなり、例えばその２個が反射板支持体３の長手方向の対称位置に離間して配設される。
【００１７】
さらに、本形態において、反射板支持体３は、その中間部の両側を折り曲げて形成した一対の起立辺３ｃ、３ｃを備えている。この起立辺３ｃは、反射板落下防止体４との間の位置決めを容易にする他、反射板支持体３の折り曲げ強度を高めるとともに、後述する反射板落下防止体４との位置決めを容易にし、また起立辺３ｃに支持部４ｃを係止して反射板支持体３に支持させるのに用いられる。
【００１８】
反射板落下防止体４は、図３に示すように、基体１の短辺開放端に対向する両側面１ｂ、１ｂに近接配置される。そして、基体１に取り付けた反射板支持体３の一対の係合腕部３ａ、３ａと協働して、少なくとも基体１や反射板２が落下するような程度に大きく撓んだときに、基体１の両側面１ｂ、１ｂの内外両面を挟持することによって、反射板支持体３の係合腕部３ａが基体１との係合を離脱しないようにする。その結果、反射板２が不所望に落下するのが防止される。なお、上記のような大きな撓みは、例えば照明器具を昇降装置を用いて高所に設置する場合に、昇降体が上昇して昇降装置本体内に収容されてロックされるときに、照明器具が揺れたり回転したりして照明器具に強い衝撃が加わることがある。
【００１９】
反射板落下防止体４は、本形態において、図５に示すように、金属板をプレス加工して形成することができ、立上り部４ａ、添接部４ｂ、支持部４ｃおよび通孔４ｄを備えている。
【００２０】
立上り部４ａは、反射板落下防止体４の両端部をそれぞれ二又状に打ち抜き、かつほぼ直角に折り曲げるなどして形成される。そして、反射板支持体３への取付状態において、図３に示すように基体１の側面１ｂの内面側に比較的接近した位置に立上り部４ａが配置される。
【００２１】
添接部４ｂは、反射板落下防止体４の中間部に形成され、図３に示すように反射板支持体３への取付状態において、反射板支持体３の中間部の下面に当接するか多少の隙間を形成した状態で添接する。
【００２２】
支持部４ｃは、少なくとも反射板２を基体１に取り付ける前の段階において、反射板支持体３の下面に添接部４ｂが添接した状態で、反射板落下防止体４を反射板支持体３に仮止め的に支持させる手段である。本形態においては、反射板支持体３の幅に間隔を合わせて反射板落下防止体４の中間部に切り起こした一対の起立片４ｃ１、４ｃ１と、反射板支持体３の一対の起立辺３ｃ、３ｃに向かって打ち出し突起４ｃ２とから支持部４ｃが構成されている。打ち出し突起４ｃ１は、反射板支持体３の一対の起立辺３ｃ、３ｃの側面または上端に係止して反射板支持体３に反射板落下防止体４に仮止め的に支持させることができる。
【００２３】
通孔４ｄは、反射板支持体３の反射板取付部３ｂに正対し、かつ化粧ねじ８の外径よりやや大きい内径で形成されていて、反射板２を取付ける際の化粧ねじ８が挿通しながら反射板取付部３ｂにねじ込まれる。したがって、反射板２が反射板支持体３に支持されると、反射板落下防止体４は、反射板２と反射板支持体３との間に挟持される。
【００２４】
そうして、本形態においては、反射板支持体３の係合腕３ａの中間部が基体１の側面１ｂの外側に位置し、反射板落下防止体４の一対の起立片４ｃ１、４ｃ１が上記側面１ｂの内面側において係合腕３ａに対向する位置に隣接して配置される。そして、少なくとも反射板２が落下する程度に基体１が大きく撓んだときには、基体１の左右両側面１ｂ、１ｂがそれぞれ反射板支持体３の係合腕３ａと反射板落下防止体４の一対の起立片４ｃ１、４ｃ１とで挟持されるので、反射板支持体３が基体１に強固に支持されるから、反射板２が基体１から不所望に落下しなくなる。
【００２５】
また、反射板落下防止体４が、反射板取付体３に支持されるとともに反射板取付体３に添接して基体１の開放端を横断橋架し、その両端に基体の両側面の内面にほぼ当接する立上り部を形成し、立上り４ａと反射板支持体３の一対の係合腕部３ａとにより基体１の両側面を挟持するように構成されれば、反射板落下防止体４の装着が容易になるとともに、構造も簡単である。
【００２６】
ランプソケット５は、少なくとも後述するランプ６に給電する手段である。本形態においては、図１に示すように基体１の開放端に支持され、図２に示す反射板２に形成されたソケット挿通孔２ｃを通過して基体１から図において下方へ反射板２のソケット挿通孔２ｃを貫通して突出している。なお、本形態において、ランプソケット５は、上記給電機能に加えてランプ６を片持ち支持する機能を併せ持っている。また、ソケット挿通孔２ｃは、反射板２の長手方向の両端部において点対称位置に２個形成される。これに対応して、２個のランプソケット５、５が反射板２の長手方向の両端に分散して配置される。
【００２７】
ランプ６は、照明器具の光源であり、本発明においてその具体的な構成は問わない。例えば、蛍光ランプ、ＨＩＤランプ、白熱電球、ＬＥＤ光源および有機ＥＬなどのいずれであってもよい。本形態においては、高周波点灯専用形蛍光ランプが２本配設されている。この高周波点灯専用形蛍光ランプは、Ｕ字状に屈曲された放電路がガラスバルブの内部に形成される片口金構造である。しかし、蛍光ランプの場合、両端口金形の直管形蛍光ランプであってもよい。
【００２８】
点灯装置７は、ランプ６を付勢して点灯するための手段であり、基体１の内部に配設されている。本形態において、点灯装置７は、高周波インバータを主体とする電子化点灯回路により構成され、ランプ６を高周波点灯する。しかし、銅−鉄形の安定器を主体とする低周波交流点灯回路により構成されていてもよい。
【００２９】
なお、図１において、符号９はランプホルダであり、基端部がランプソケット５に支持されたランプ６の先端側の部分を補助的に支持している。
【符号の説明】
【００３０】
１…基体、１ａ…開放端、１ｂ…側面、１ｃ…係合孔、１ｄ…端板、２…反射板、２ａ…天板部、２ｂ…曲面部、２ｃ…ソケット挿通孔、３…ランプ支持体、３ａ…係合腕部、３ｂ…反射板取付部、３ｃ…起立辺、４…反射板落下防止体、４ａ…立上り部、４ｂ…添接部、４ｃ…支持部、４ｃ１…起立片、４ｃ２…打ち出し突起、４ｄ…通孔、５…ランプソケット、６…ランプ、７…点灯装置、８…化粧ねじ、９…ランプホルダ
【図１】
2011054343.tif 000003
【図２】
2011054343.tif 000004
【図３】
2011054343.tif 000005
【図４】
2011054343.tif 000006
【図５】
2011054343.tif 000007